(57)【要約】【課題】ＯＮＵと接続される下流装置間で位相同期を取る必要がない多分岐通信システムを得る。【解決手段】ＰＯＮ制御部１１は入力データパターン３１，３２を生成し、ＦＰ生成部２２は基準フレーム周期情報（ＦＰ）をＦＰ３０に変換し、パターン生成部２３はＦＰ生成部２２からＦＰ３０が出力されるタイミングで、ＦＰ３０を示すフレーム周期パターン３３を生成し、切替制御部２５は入力データパターン３１のアイドルパターン３５が続いた場合、ＦＰ３０が出力されるタイミングで切替信号を生成し、切替部２４は切替信号のタイミングでアイドルパターン３５の一部をフレーム周期パターン３３に置き換える。【選択図】図２
2008124905.tif 000002
【特許請求の範囲】
【請求項１】
電話局等に設置されるセンター側端局装置と、上記センター側端局装置と多分岐伝送路を通じて接続する子局装置を備える多分岐通信システムにおいて、
上記センター側端局装置は、
外部から入力した基準クロックから所定の周波数のクロックを生成するクロック生成部と、
外部から受信したデータパターンを、上記クロック生成部からの所定の周波数のクロックのタイミングで、ＰＯＮシステムの所定のフォーマットに変換し、８Ｂ／１０Ｂの伝送符号化処理を行ったデータパターンを出力するＰＯＮ制御部と、
上記基準クロックから抽出した基準フレーム周期情報を、上記クロック生成部からのクロックに同期させたフレーム周期情報に変換するフレーム周期生成部と、
上記フレーム周期生成部からフレーム周期情報が出力されるタイミングで、フレーム周期情報を示すフレーム周期パターンを生成するパターン生成部と、
上記ＰＯＮ制御部から出力されるデータパターンをモニタし、所定のバイト数のアイドルパターンが続いた場合、上記フレーム周期生成部からフレーム周期情報が出力されるタイミングで切替信号を生成する切替制御部と、
上記切替制御部が生成した切替信号のタイミングで、上記ＰＯＮ制御部から入力した上記子局装置に送信するデータパターンにおけるアイドルパターンの一部を、上記パターン生成部により生成されたフレーム周期パターンに置き換える切替部とを備え、
上記子局装置は、
上記センター側端局装置から送信されたデータパターンに含まれるフレーム周期パターンを検出し、外部に送信するフレーム周期情報を再生するフレームモニタ部とを備えること
を特徴とする多分岐通信システム。
【請求項２】
子局装置は、フレームモニタ部がフレーム周期パターンを検出できない場合、上記フレームモニタ部が前に再生したフレーム周期情報を基に、データパターンに含まれる所定の周波数のクロックをフレーム周期分カウントすることで外部に送信するフレーム周期情報を生成するフレーム周期生成部を備えることを特徴とする請求項１記載の多分岐通信システム。
【請求項３】
外部から入力した基準クロックから所定の周波数のクロックを生成するクロック生成部と、
外部から受信したデータパターンを、上記クロック生成部からの所定の周波数のクロックのタイミングで、ＰＯＮシステムの所定のフォーマットに変換し、８Ｂ／１０Ｂの伝送符号化処理を行ったデータパターンを出力するＰＯＮ制御部と、
上記基準クロックから抽出した基準フレーム周期情報を、上記クロック生成部からのクロックに同期させたフレーム周期情報に変換するフレーム周期生成部と、
上記フレーム周期生成部からフレーム周期情報が出力されるタイミングで、フレーム周期情報を示すフレーム周期パターンを生成するパターン生成部と、
上記ＰＯＮ制御部から出力されるデータパターンをモニタし、所定のバイト数のアイドルパターンが続いた場合、上記フレーム周期生成部からフレーム周期情報が出力されるタイミングで切替信号を生成する切替制御部と、
上記切替制御部が生成した切替信号のタイミングで、上記ＰＯＮ制御部から入力したデータパターンにおけるアイドルパターンの一部を、上記パターン生成部により生成されたフレーム周期パターンに置き換える切替部とを備えることを特徴とするセンター側端局装置。
【請求項４】
電話局等に設置されるセンター側端局装置と、上記センター側端局装置と多分岐伝送路を通じて接続する子局装置を備える多分岐通信システムにおいて、
上記センター側端局装置は、
外部から入力される基準クロックから所定の周波数のクロックを生成するクロック生成部と、
上記基準クロックから抽出した基準フレーム周期情報を、上記クロック生成部からのクロックに同期させたフレーム周期情報に変換するフレーム周期生成部と、
外部から受信したデータパターンを、上記クロック生成部からの所定の周波数のクロックのタイミングで、ＰＯＮシステムの所定のフォーマットに変換したデータパターンを生成し、変換されたデータパターンのヘッダ部のＲｅｓｅｒｖｅ領域に上記フレーム周期生成部で変換されたフレーム周期情報を挿入するＰＯＮ制御部と、
上記フレーム周期生成部からフレーム周期情報が出力されるタイミングで、所定の擬似データパターンを生成し、上記擬似データパターンのヘッダ部のＲｅｓｅｒｖｅ領域に上記フレーム周期生成部で変換されたフレーム周期情報を挿入するパターン生成部と、
上記ＰＯＮ制御部から入力したデータパターンをモニタし、上記ＰＯＮ制御部からのデータパターンがアイドルパターンの場合、上記フレーム周期生成部からフレーム周期情報が出力されるタイミングで切替信号を生成する切替制御部と、
上記切替制御部が生成した切替信号のタイミングで、上記ＰＯＮ制御部から入力した上記子局装置に送信するデータパターンにおけるアイドルパターンの一部を、上記パターン生成部により生成された擬似データパターンに置き換える切替部とを備え、
上記子局装置は、
上記センター側端局装置から送信されたデータパターンのヘッダ部のＲｅｓｅｒｖｅ領域に含まれるフレーム周期パターンを検出し、外部に送信するフレーム周期情報を再生するフレームモニタ部とを備えること
を特徴とする多分岐通信システム。
【請求項５】
子局装置は、データパターンが欠落した場合、上記フレームモニタ部が前に再生したフレーム周期情報を基に、データパターンに含まれる所定の周波数のクロックをフレーム周期分カウントすることで外部に送信するフレーム周期情報を生成するフレーム周期生成部を備えることを特徴とする請求項４記載の多分岐通信システム。
【請求項６】
外部から入力される基準クロックから所定の周波数のクロックを生成するクロック生成部と、
上記基準クロックから抽出した基準フレーム周期情報を、上記クロック生成部からのクロックに同期させたフレーム周期情報に変換するフレーム周期生成部と、
外部から受信したデータパターンを、上記クロック生成部からの所定の周波数のクロックのタイミングで、ＰＯＮシステムの所定のフォーマットに変換してデータパターンを生成し、データパターンのヘッダ部のＲｅｓｅｒｖｅ領域に上記フレーム周期生成部で変換されたフレーム周期情報を挿入するＰＯＮ制御部と、
上記フレーム周期生成部からフレーム周期情報が出力されるタイミングで、所定の擬似データパターンを生成し、上記擬似データパターンのヘッダ部のＲｅｓｅｒｖｅ領域に上記フレーム周期生成部で変換されたフレーム周期情報を挿入するパターン生成部と、
上記ＰＯＮ制御部から入力したデータパターンをモニタし、上記ＰＯＮ制御部からのデータパターンがアイドルパターンの場合、上記フレーム周期生成部からフレーム周期情報が出力されるタイミングで切替信号を生成する切替制御部と、
上記切替制御部が生成した切替信号のタイミングで、上記ＰＯＮ制御部から入力したデータパターンにおけるアイドルパターンの一部を、上記パターン生成部により生成された擬似データパターンに置き換える切替部とを備えることを特徴とするセンター側端局装置。
【発明の詳細な説明】
【技術分野】
【０００１】
この発明は、多分岐通信システム及びセンター側端局装置に関するものである。
【背景技術】
【０００２】
従来の多分岐通信システム（ＰＯＮシステム；Passive Optical Networkシステム）として、例えば特許文献１に記載されたものがある。このシステムでは、センター側端局装置（Optical Line Terminal；ＯＬＴ）は、接続された複数の子局装置（Optical Network Unit；ＯＮＵ）に対応したデータパターンを所定のフレームフォーマットに従って順次並べた下り信号を、クロック信号に同期させて送信している。一方、子局装置（ＯＮＵ）は、センター側端局装置（ＯＬＴ）からの下り信号を受信すると、この下り信号から自局あてのデータパターンと共にクロック信号を抽出している。
【０００３】
【特許文献１】特開２００４−１６６０４７号公報（段落０００５〜段落００２０）
【発明の開示】
【発明が解決しようとする課題】
【０００４】
従来の多分岐通信システムは、以上のように構成されているので、子局装置（ＯＮＵ）からは周波数同期用のクロックを出力するが、位相同期用のフレーム周期情報を出力しないため、子局装置（ＯＮＵ）と接続される下流装置間で位相同期を取る必要がある。例えば、下流装置として同期式伝送装置や基地局等が接続されている場合、これらの下流装置間でＧＰＳ（Global Positioning System）等の位相同期システムを具備する必要があるという課題があった。
【０００５】
この発明は上記のような課題を解決するためになされたもので、子局装置（ＯＮＵ）と接続される下流装置間で位相同期を取る必要がない多分岐通信システム及びセンター側端局装置を得ることを目的とする。
【課題を解決するための手段】
【０００６】
この発明に係る多分岐通信システムは、電話局等に設置されるセンター側端局装置と、上記センター側端局装置と多分岐伝送路を通じて接続する子局装置を備え、センター側端局装置は、外部から入力した基準クロックから所定の周波数のクロックを生成するクロック生成部と、外部から受信したデータパターンを、クロック生成部からの所定の周波数のクロックのタイミングで、ＰＯＮシステムの所定のフォーマットに変換し、８Ｂ／１０Ｂの伝送符号化処理を行ったデータパターンを出力するＰＯＮ制御部と、基準クロックから抽出した基準フレーム周期情報を、クロック生成部からのクロックに同期させたフレーム周期情報に変換するフレーム周期生成部と、フレーム周期生成部からフレーム周期情報が出力されるタイミングで、フレーム周期情報を示すフレーム周期パターンを生成するパターン生成部と、ＰＯＮ制御部から出力されるデータパターンをモニタし、所定のバイト数のアイドルパターンが続いた場合、フレーム周期生成部からフレーム周期情報が出力されるタイミングで切替信号を生成する切替制御部と、切替制御部が生成した切替信号のタイミングで、ＰＯＮ制御部から入力した子局装置に送信するデータパターンにおけるアイドルパターンの一部を、上記パターン生成部により生成されたフレーム周期パターンに置き換える切替部とを備え、子局装置は、センター側端局装置から送信されたデータパターンに含まれるフレーム周期パターンを検出し、外部に送信するフレーム周期情報を再生するフレームモニタ部とを備えるものである。
【発明の効果】
【０００７】
この発明により、子局装置（ＯＮＵ）と接続される下流装置間で位相同期を取る必要がないという効果が得られる。
【発明を実施するための最良の形態】
【０００８】
実施の形態１．
図１はこの発明の実施の形態１による多分岐通信システムの構成を示すブロック図である。この多分岐通信システムは、センター側端局装置（ＯＬＴ）１、子局装置（ＯＮＵ）４（４ａ−１〜４ａ−ｎ，４ｂ−１〜４ｂ−ｎ）、基地局５（５ａ−１〜５ａ−ｎ，５ｂ−１〜５ｂ−ｎ）及び多分岐ファイバ（多分岐伝送路）６を備えている。
【０００９】
ここで多分岐ファイバ６は、センター側端局装置（ＯＬＴ）１に接続される光ファイバ６ａと、センター側端局装置（ＯＬＴ）１からの送信光を分岐する分岐用スプリッタ６ｂと、分岐用スプリッタ６ｂと子局装置（ＯＮＵ）４を接続する光ファイバ６ｃから構成される。
【００１０】
センター側端局装置（ＯＬＴ）１は、電話局等に設定され、ＰＯＮインタフェース部（ＰＯＮＩＦ）２（２ａ〜２ｂ）及び同期クロックインタフェース部（同期クロックＩＦ）３により構成されている。同期クロックインタフェース部（同期クロックＩＦ）３は、センター局内基準クロック（Digital Clock Supply；ＤＣＳ）等からフレーム周期情報を含んだ基準クロック８を受信し、受信した基準クロック８からフレーム周期情報（Frame Pulse；ＦＰ）９ｂを抽出し、基準クロック８に同期した所定のクロック９ａとフレーム周期情報（ＦＰ）９ｂをＰＯＮインタフェース部（ＰＯＮＩＦ）２に出力する。
【００１１】
ＰＯＮインタフェース部（ＰＯＮＩＦ）２は、多分岐ファイバ６により構成されるＰＯＮ回線と接続するためのセンター側端局装置（ＯＬＴ）１のインタフェースであり、上位ネットワークから受信したデータパターン７をＰＯＮシステムの所定のフレームフォーマットに変換すると共に、フレームフォーマット後のデータパターンの一部をフレーム周期パターンに置き換え、基準クロック８に同期した所定のクロックのタイミングで多分岐ファイバ６を経由して全ての子局装置（ＯＮＵ）４に送信する。
【００１２】
子局装置（ＯＮＵ）４は、センター側端局装置（ＯＬＴ）１から送信されたデータパターンから主信号のデータパターンを抽出し、センター側端局装置（ＯＬＴ）１から送信されたデータパターンからクロックを再生し、フレーム周期パターンを認識することによってフレーム周期情報（ＦＰ）を再生し、抽出したデータパターン、再生したクロック及びフレーム周期情報（ＦＰ）を後段の基地局５へ送信する。全ての基地局５は、子局装置（ＯＮＵ）４からのデータパターン、クロック及びフレーム周期情報（ＦＰ）を受信し、受信したクロック及びフレーム周期情報（ＦＰ）に同期して所定の処理を行う。
このようにして、全ての基地局５の処理は、網同期クロックである基準クロック８に同期したクロック及びフレーム周期情報（ＦＰ）により動作するため、すべての基地局５を同期させることができる。
【００１３】
図２は実施の形態１におけるＰＯＮインタフェース部（ＰＯＮＩＦ）及び子局装置（ＯＮＵ）の詳細構成を示すブロック図である。
【００１４】
図２で示すＰＯＮインタフェース部（ＰＯＮＩＦ）２は、ＰＨＹ（Physical）部１０、ＰＯＮ制御部１１、符号変換部（Physical Coding Sub-layer；ＰＣＳ部）１２、ＳＥＲＤＥＳ部（Serialization／Deserialization；シリアル化／デシリアル化）１３、光送受信部（Ｏ／Ｅ、Ｅ／Ｏ）１４、クロック生成部１５、フレーム周期生成部（ＦＰ生成部）２２、パターン生成部２３、切替部２４及び切替制御部２５で構成されている。なお、ＰＯＮ制御部１１は符号変換部（ＰＣＳ部）１２を内蔵している。
【００１５】
ここでクロック生成部１５は、図１に示す同期クロックインタフェース部（同期クロックＩＦ）３からの基準クロック８に同期した所定のクロック９ａを入力し、ＰＯＮ制御部１１、ＳＥＲＤＥＳ部１３、フレーム周期生成部（ＦＰ生成部）２２及びパターン生成部２３が必要な周波数のクロックを生成し、この必要な周波数のクロックを分配する。フレーム周期生成部（ＦＰ生成部）２２は、基準クロック８から抽出した基準フレーム周期９ｂを、クロック生成部１５からの所定の周波数のクロックに同期させたフレーム周期情報（ＦＰ）３０に変換し、このフレーム周期情報（ＦＰ）３０をパターン生成部２３及び切替制御部２５に出力する。
【００１６】
ＰＨＹ部１０は上位ネットワークからのデータパターン７を受信し、データパターン７をＰＯＮ制御部１１に出力する。ＰＯＮ制御部１１は、ＰＨＹ部１０から入力したデータパターン７を、クロック生成部１５からの所定の周波数のクロックのタイミングで、ＰＯＮシステムの所定のフォーマットに変換し、ＰＯＮ制御部１１に内蔵されている符号変換部（ＰＣＳ部）１２は、ＰＯＮ制御部１１で所定のフォーマットに変換したデータパターンを、８ビットのデータパターンに冗長ビットを付加して１０ビットのデータパターンに変換するとともに同符号連続状態を防止する符号化も行う８Ｂ／１０Ｂの伝送符号化処理を行い、入力データパターン３２(入力データパターン３１)を生成し、この８Ｂ／１０Ｂの伝送符号化された入力データパターン３２(入力データパターン３１)をＰＯＮ制御部１１から切替部２４及び切替制御部２５に出力する。
【００１７】
パターン生成部２３は、フレーム周期生成部（ＦＰ生成部）２２がフレーム周期情報（ＦＰ）３０を出力するタイミングで、フレーム周期情報（ＦＰ）３０を示すフレーム周期パターン３３を生成し、切替部２４に出力する。なお、ここで生成されるフレーム周期パターン３３は、８Ｂ／１０Ｂの符号化規則の特殊コードのうち、使用されていないコードが割り当てられる。
【００１８】
切替制御部２５は、ＰＯＮ制御部１１から出力される８Ｂ／１０Ｂの伝送符号化された入力データパターン３１をモニタし、入力データパターン３１において所定のバイト数のアイドルパターンが続いた場合、フレーム周期生成部（ＦＰ生成部）２２からフレーム周期情報（ＦＰ）３０が出力されるタイミングで切替信号を生成し、この切替信号を切替部２４に出力する。
【００１９】
切替部２４は、通常は、ＰＯＮ制御部１１から出力される入力データパターン３２を出力データパターン３４としてＳＥＲＤＥＳ部１３に転送する。一方、切替制御部２５から切替信号を入力した場合は、入力データパターン３２におけるアイドルパターンの一部を、切替制御部２５が生成した切替信号のタイミングで、パターン生成部２３により生成されたフレーム周期パターン３３に置き換えて、その置き換えた後のデータパターンを出力データパターン３４としてＳＥＲＤＥＳ部１３に転送する。
【００２０】
ＳＥＲＤＥＳ部１３は、切替部２４からの出力データパターン３４を、クロック生成部１５からの所定の周波数のクロックのタイミングでシリアル化して、光送受信部（Ｏ／Ｅ、Ｅ／Ｏ）１４に出力する。光送受信部（Ｏ／Ｅ、Ｅ／Ｏ）１４は、ＳＥＲＤＥＳ部１３からのデータパターンを、電気信号から光信号に変換して多分岐ファイバ６に転送する。
【００２１】
図２で示す子局装置（ＯＮＵ）４は、光送受信部（Ｏ／Ｅ、Ｅ／Ｏ）１６、ＰＣＳ部１７、ＰＯＮ制御部１８、ＰＨＹ部１９、クロック抽出部２０、クロック生成部２１、フレームモニタ部２６及びフレーム周期生成部（ＦＰ生成部）２７により構成されている。ＰＯＮ制御部１８は符号変換部（Physical Coding Sub-layer；ＰＣＳ部）１７を内蔵している。
【００２２】
ここで、光送受信部（Ｏ／Ｅ、Ｅ／Ｏ）１６は、ＰＯＮＩＦ２から受信したデータパターンの光信号を電気信号に変換してＯＮＵ入力データパターン４０を生成し、このＯＮＵ入力データパターン４０を、ＰＯＮ制御部１８、クロック抽出部２０及びフレームモニタ部２６に出力する。
【００２３】
ＰＯＮ制御部１８は、ＰＯＮインタフェース部であり、光送受信部（Ｏ／Ｅ、Ｅ／Ｏ）１６からＯＮＵ入力データパターン４０を入力する。ＰＯＮ制御部１８に内蔵されている符号変換部（ＰＣＳ部）１７はＯＮＵ入力データパターン４０を８Ｂ／１０Ｂ伝送路符号にデコードし、ＰＯＮ制御部１８はデコード後のＯＮＵ入力データパターン４０から主信号データパターンのみを抽出し、この主信号データパターンをＰＨＹ部１９に出力する。
【００２４】
ＰＨＹ部１９は、ＰＯＮ制御部１８により抽出された主信号データパターンを基地局５に送信する。
【００２５】
クロック抽出部２０は、光送受信部（Ｏ／Ｅ、Ｅ／Ｏ）１６からＯＮＵ入力データパターン４０を入力し、このＯＮＵ入力データパターン４０から基準クロックに同期したクロック成分をＣＤＲ（Ｃｌｏｃｋ  ａｎｄ  Ｄａｔａ  Ｒｅｃｏｖｅｒｙ）機能を使用して再生し、この再生したクロックをクロック生成部２１に出力する。
【００２６】
クロック生成部２１は、クロック抽出部２０から入力したクロックを基地局５が所望する伝送速度のクロックに変換し、このクロックを基地局５に送信する。
【００２７】
フレームモニタ部２６は、光送受信部（Ｏ／Ｅ、Ｅ／Ｏ）１６から入力したＯＮＵ入力データパターン４０をモニタし、フレーム周期情報（ＦＰ）３０を示すフレーム周期パターン３３を検出したとき、基地局５に送信するためのフレーム周期情報（ＦＰ）４１を再生し、このクレーム周期情報（ＦＰ）４１をＦＰ生成部２７に出力する。ただし、上記で記述したとおり、所定のバイト数のアイドルパターンが続いた場合は、フレーム周期パターン３３に置き換えることはできるが、所定のバイト数のアイドルパターンが続かない場合は、フレーム周期パターン３３に置き換えることができないので、本時点では、フレーム周期情報（ＦＰ）３０を完全には再生できない。
【００２８】
フレーム周期生成部（ＦＰ生成部）２７は、フレームモニタ部２６から完全には再生されていないフレーム周期情報（ＦＰ）４１を入力し、フレームモニタ部２６が前に再生したフレーム周期情報（ＦＰ）を基準として、クロック抽出部２０又はクロック生成部２１からのクロックを予め認識しているフレーム周期（例えば８ｋＨｚ）分カウントし、フレーム周期情報（ＦＰ）が存在するはずの部分にフレーム周期情報（ＦＰ）を生成する。このときカウントしているクロックをリセットする。またフレームモニタ部２６で再生されたフレーム周期情報（ＦＰ）を入力したときも、カウントしているクロックをリセットする。また、ＦＰ生成部２７は、ＰＯＮ区間にて光パワー劣化等で一部分がデータ化けを生じ、フレーム周期パターンを認識できない場合があっても、上記と同様の方法で自立的なタイミング生成によりフレーム周期を救済することが可能である。
【００２９】
図３は、実施の形態１におけるデータパターン及びフレーム周期情報のタイミングチャートを示す図である。
【００３０】
フレーム周期情報（ＦＰ）３０はフレーム周期生成部（ＦＰ生成部）２２が出力するフレーム周期情報（ＦＰ）であり、入力データパターン３１及び入力データパターン３２はＰＯＮ制御部１１が出力するデータパターンであり、フレーム周期パターン３３はパターン生成部２３が出力するデータパターンであり、出力データパターン３４は切替部２４が出力するデータパターンであり、ＯＮＵ入力データパターン４０はＯＮＵ４の光送受信部（Ｏ／Ｅ、Ｅ／Ｏ）１６が出力するデータパターンであり、フレーム周期情報（ＦＰ）４１はフレームモニタ部２６が出力するフレーム周期情報（ＦＰ）であり、フレーム周期情報（ＦＰ）４２はＦＰ生成部２７が出力するフレーム周期情報（ＦＰ）である。  
【００３１】
切替部２４は入力データパターン３２の一部を、フレーム周期情報（ＦＰ）３０を示すフレーム周期パターン３３（／Ｘ／Ｘ）に置き換えて、出力データパターン３４とする。また、パターン生成部２３が生成するフレーム周期パターン３３（／Ｘ／Ｘ）は、図３で示すようにフレーム周期情報（ＦＰ）３０が出力するタイミングで生成される。
【００３２】
入力データパターン３２の一部をフレーム周期パターン３３に置き換えるタイミングは、原則、入力データパターン３１がアイドルパターン３５の場合である（入力データパターン切替３７）。
【００３３】
しかし、入力データパターン３１がアイドルパターン３５であっても、入力データパターン３１が主信号データパターン３６からアイドルパターン３５に変更された直後は、コンマビット列から符号の区切りを検出してデータパターンの区切りを判別するため、入力データパターン３２の一部をフレーム周期パターン３３に置き換えることはできない（入力データパターン切替禁止（Ｃｏｍｍａ同期）３９）。
【００３４】
入力データパターン３１が主信号データパターン３６の場合は、外部に送信する必要がある主信号データパターン３６があるため、入力データパターン３２の一部をフレーム周期パターン３３に置き換えることはできない（入力データパターン切替禁止（主信号）３８）。
【００３５】
ＯＮＵ入力データパターン４０は、ＯＮＵ４の光送受信部（Ｏ／Ｅ、Ｅ／Ｏ）１６が生成したデータパターンであり、ＰＯＮＩＦ２の出力データパターン３４と同様のデータパターンである。フレームモニタ部２６において、このＯＮＵ入力データパターン４０からフレーム周期パターン３３（／Ｘ／Ｘ）を検出した場合は、この部分に、フレーム周期情報（ＦＰ）３０が存在すると判断し、フレーム周期情報（ＦＰ）３０を再生するためのフレーム周期情報（ＦＰ）４１を再生する。
【００３６】
フレーム周期情報（ＦＰ）４１は、ＯＮＵ入力データパターン４０がすべてのフレーム周期パターン３３に置き換えられてはいないので、フレーム周期情報（ＦＰ）３０を完全には再生することができない。フレーム周期情報（ＦＰ）４２は、フレーム周期情報（ＦＰ）３０と同様のフレーム周期情報（ＦＰ）を生成したものであり、フレーム周期生成部（ＦＰ生成部）２７は、前に再生したフレーム周期情報（ＦＰ）を基準として、クロック抽出部２０又はクロック生成部２１からのクロックを予め認識しているフレーム周期分カウントして、フレーム周期情報（ＦＰ）３０を自立的にタイミング生成し、基地局５に送信するためのフレーム周期情報（ＦＰ）４２を生成することができる。
【００３７】
図３において、フレーム周期パターン３３は／Ｘが２連続になっているが、／Ｘはｎ連続（ｎ＝１以上）でも良い。またＯＮＵ入力データパターン４０の／Ｘが２番目のタイミングでフレーム周期情報（ＦＰ）４１を再生しているが、フレーム周期情報（ＦＰ）４１の出力タイミングが予め決めていれば１番目でも良く、フレーム周期情報（ＦＰ）４１を再生するタイミングは、／Ｘの１番目〜ｎ番目いずれでも良い。／Ｘを１回だけ検出してフレーム周期情報（ＦＰ）４１を再生する場合では、データ化けなどでフレーム周期パターン３３を出力しないタイミングで／Ｘを検出してしまった場合にも、誤ってフレーム周期情報（ＦＰ）４１を再生してしまう可能性がある。このため、ｎ回連続で／Ｘを入力した場合にフレーム周期情報（ＦＰ）４１を再生するようにすることで、誤出力を防止できる。また、ＰＯＮ区間の帯域をまったく使用せずに伝送することが可能である。
【００３８】
以上のように、実施の形態１によれば、多分岐通信システムが、電話局等に設置されるセンター側端局装置（ＯＬＴ）１と、センター側端局装置（ＯＬＴ）１と多分岐ファイバ６を通じて接続する子局装置（ＯＮＵ）４を備え、センター側端局装置（ＯＬＴ）１は、外部から入力した基準クロックから所定の周波数のクロックを生成するクロック生成部１５と、外部から受信したデータパターンを、クロック生成部１５からの所定の周波数のクロックのタイミングで、ＰＯＮシステムの所定のフォーマットに変換し、８Ｂ／１０Ｂの伝送符号化処理を行った入力データパターン３２（入力データパターン３１）を出力するＰＯＮ制御部１１と、基準クロックから抽出した基準フレーム周期情報（ＦＰ）を、クロック生成部１５からのクロックに同期させたフレーム周期情報（ＦＰ）３０に変換するフレーム周期生成部（ＦＰ生成部）２２と、フレーム周期生成部（ＦＰ生成部）２２からフレーム周期情報（ＦＰ）３０が出力されるタイミングで、フレーム周期情報（ＦＰ）３０を示すフレーム周期パターン３３を生成するパターン生成部２３と、ＰＯＮ制御部１１から出力される入力データパターン３１をモニタし、所定のバイト数のアイドルパターン３５が続いた場合、フレーム周期生成部（ＦＰ生成部）２２からフレーム周期情報（ＦＰ）３０が出力されるタイミングで切替信号を生成する切替制御部２５と、切替制御部２５が生成した切替信号のタイミングで、ＰＯＮ制御部１１から入力した子局装置（ＯＮＵ）４に送信するデータパターンにおけるアイドルパターン３５の一部を、パターン生成部２３により生成されたフレーム周期パターン３３に置き換える切替部２４とを備え、子局装置（ＯＮＵ）４は、センター側端局装置（ＯＬＴ）１から送信されたＯＮＵ入力データパターン４０に含まれるフレーム周期パターン３３を検出し、外部に送信するフレーム周期情報（ＦＰ）を再生するフレームモニタ部２６とを備えることにより、子局装置（ＯＮＵ）４と接続される下流装置間（基地局５等）で位相同期を取る必要がないという効果が奏する。
【００３９】
子局装置（ＯＮＵ）４は、フレームモニタ部２６がフレーム周期パターンの検出をできない場合、フレームモニタ部２６が前に再生したフレーム周期情報（ＦＰ）を基に、データパターンに含まれる所定の周波数のクロックをフレーム周期分カウントすることでフレーム周期情報（ＦＰ）を生成するフレーム周期生成部を備えることにより、フレーム周期情報（ＦＰ）を自立的にタイミング生成することができるという効果を奏する。
【００４０】
実施の形態２．
図４は、実施の形態２によるＰＯＮインタフェース部（ＰＯＮＩＦ）及び子局装置（ＯＮＵ）の詳細構成を示すブロック図である。
実施の形態２のＰＯＮＩＦ２は、実施の形態１と同様の構成であるが、実施の形態１ではＰＣＳ部１２がＰＯＮ制御部１１に内蔵する構成であるが、実施の形態２ではＰＣＳ部１２が切替部２４とＳＥＲＤＥＳ部１３の間に構成である。
【００４１】
ＰＨＹ(Physical)部１０、ＳＥＲＤＥＳ部（Serialization／Deserialization；シリアル化／デシリアル化）１３、光送受信部（Ｏ／Ｅ、Ｅ／Ｏ）１４、クロック生成部１５及びフレーム周期生成部（ＦＰ生成部）２２は実施の形態１と同様である。
【００４２】
ＰＯＮ制御部１１においてフレーム周期情報（ＦＰ）を主信号データパターンのヘッダ部のＲｅｓｅｒｖｅ領域に挿入する方法は、主信号データパターンが絶えず流れている場合には有効だが、主信号データパターンがストップした場合は、ＯＮＵ４に出力する主信号データパターンがなくなるため、フレーム周期情報を伝達できない。そこで実施の形態２では、主信号データパターンが絶えず流れている場合は、ＰＯＮ制御部１１でデータパターンのヘッダ部のＲｅｓｅｒｖｅ領域にフレーム周期情報を挿入するとともに、主信号データパターンが流れていない場合つまりアイドルパターンの場合は、フレーム周期情報（ＦＰ）を挿入するタイミングで、アイドルパターンの一部を切替部２４でヘッダ部のＲｅｓｅｒｖｅ領域にフレーム周期情報を含んだ擬似データパターンに置き換えることにより、フレーム周期情報（ＦＰ）をＯＮＵに伝達する。
【００４３】
ここでＰＯＮ制御部１１は、ＰＨＹ部１０により受信されたデータパターン７を、クロック生成部１５からの所定の周波数のクロックのタイミングで、ＰＯＮシステムの所定のフォーマットに変換を行い、データパターンを生成し、この生成されたデータパターンの主信号データパターンのヘッダ部のＲｅｓｅｒｖｅ領域にフレーム周期生成部（ＦＰ生成部）２２で生成されたフレーム周期情報（ＦＰ）を挿入し、このフレーム周期情報（ＦＰ）の挿入されたデータパターンを切替部２４に出力する。
【００４４】
パターン生成部２３は、フレーム周期生成部（ＦＰ生成部）２２からフレーム周期情報が出力されるタイミングで、所定の擬似データパターンを生成し、この擬似データパターンのヘッダ部のＲｅｓｅｒｖｅ領域にフレーム周期生成部（ＦＰ生成部）２２で生成されたフレーム周期情報（ＦＰ）を挿入し、この擬似データパターンを切替部２４に出力する。
【００４５】
切替制御部２５は、ＰＯＮ制御部１１から入力した所定のフォーマットへ変換されたデータパターンをモニタし、このデータパターンがアイドルパターンの場合、フレーム周期生成部（ＦＰ生成部）２２からフレーム周期情報（ＦＰ）が出力されるタイミングで、アイドルパターンの一部を擬似データパターンに置き換えるための切替信号を生成し、この切替信号を切替部２４に出力する。
【００４６】
切替部２４は、切替制御部２５から入力した切替信号のタイミングで、ＰＯＮ制御部１１から入力した子局装置（ＯＮＵ）４に送信するデータパターンにおけるアイドルパターンの一部を、擬似データパターンに置き換え、ＳＥＲＤＥＳ部１３に出力する。主信号データパターンの場合、擬似データパターンが不要のため、切替部２４において擬似データパターンの置き換えは行わない。
【００４７】
実施の形態２の子局装置（ＯＮＵ）４は、実施の形態１の子局装置（ＯＮＵ）４と同様の構成であるが、実施の形態１ではフレームモニタ部２６は光送受信部（Ｏ／Ｅ、Ｅ／Ｏ）１６からデータパターンを入力しているが、実施の形態２ではフレームモニタ部２６はＰＣＳ部１７からデータパターンを入力している。光送受信部（Ｏ／Ｅ、Ｅ／Ｏ）１６、ＰＯＮ制御部１８、ＰＨＹ部１９、クロック抽出部２０及びクロック生成部２１は、実施の形態１と同様である。
【００４８】
符号変換部（ＰＣＳ部）１７は、データパターンのヘッダ部のＲｅｓｅｒｖｅ領域にフレーム周期情報を挿入されたデータパターンの８Ｂ／１０Ｂ伝送符号をデコードし、このデータパターンをＰＯＮ制御部１８及びフレームモニタ部２６に出力する。
【００４９】
フレームモニタ部２６は、符号変換部（ＰＣＳ部）１７から入力したデータパターンのヘッダ部のＲｅｓｅｒｖｅ領域に挿入されているフレーム周期情報（ＦＰ）を用いて、フレーム周期パターンを検出し、基地局等に送信するフレーム周期情報（ＦＰ）を再生し、このフレーム周期情報（ＦＰ）をフレーム周期生成部（ＦＰ生成部）２７に出力する。
【００５０】
フレーム周期生成部（ＦＰ生成部）２７は、フレームモニタ部２６から入力したフレーム周期情報（ＦＰ）を基地局等に送信する。データパターンが欠損等した場合は、実施の形態１と同様、フレームモニタ部２６が再生したフレーム周期情報（ＦＰ）を基準とし、クロック抽出部２０又はクロック生成部２１で生成したクロックを、予め認識しているフレーム周期分カウントすることで、自立的にフレーム周期情報（ＦＰ）を生成することができる。
【００５１】
以上のように、実施の形態２によれば、多分岐通信システムが、電話局等に設置されているセンター側端局装置（ＯＬＴ）１と、センター側端局装置（ＯＬＴ）１と多分岐伝送路を通じて接続する子局装置（ＯＮＵ）４を備え、センター側端局装置（ＯＬＴ）１は、外部から入力される基準クロックから所定の周波数のクロックを生成するクロック生成部１５と、基準クロックから抽出した基準フレーム周期情報（ＦＰ）を、クロック生成部からのクロックに同期させたフレーム周期情報（ＦＰ）に変換するフレーム周期生成部（ＦＰ生成部）２２と、外部から受信したデータパターンを、クロック生成部からの所定の周波数のクロックのタイミングで、ＰＯＮシステムの所定のフォーマットに変換してデータパターンを生成し、データパターンのヘッダ部のＲｅｓｅｒｖｅ領域にフレーム周期生成部（ＦＰ生成部）２２で変換されたフレーム周期情報を挿入するＰＯＮ制御部１１と、フレーム周期生成部（ＦＰ生成部）２２からフレーム周期情報が出力されるタイミングで、所定の擬似データパターンを生成し、擬似データパターンのヘッダ部のＲｅｓｅｒｖｅ領域にフレーム周期生成部（ＦＰ生成部）２２で変換されたフレーム周期情報を挿入するパターン生成部２３と、ＰＯＮ制御部１１から入力したデータパターンをモニタし、ＰＯＮ制御部１１からのデータパターンがアイドルパターンの場合、フレーム周期生成部（ＦＰ生成部）２２からフレーム周期情報が出力されるタイミングで切替信号を生成する切替制御部２５と、切替制御部２５が生成した切替信号のタイミングで、ＰＯＮ制御部１１から入力した子局装置（ＯＮＵ）４に送信するデータパターンにおけるアイドルパターンの一部を、パターン生成部２３により生成された擬似データパターンに置き換える切替部２４とを備え、子局装置（ＯＮＵ）４は、センター側端局装置（ＯＬＴ）１から送信されたデータパターンのヘッダ部のＲｅｓｅｒｖｅ領域に含まれるフレーム周期パターンを検出し、外部に送信するフレーム周期情報を再生するフレームモニタ部２６とを備えることにより、子局装置（ＯＮＵ）４と接続される下流装置間（基地局５等）で位相同期を取る必要がないという効果を奏する。
【００５２】
また、実施の形態２によれば、子局装置（ＯＮＵ）４は、データパターンが欠落した場合、フレームモニタ部２６が前に再生したフレーム周期情報（ＦＰ）を基に、データパターンに含まれる所定の周波数のクロックをフレーム周期分カウントすることでフレーム周期情報（ＦＰ）を生成するフレーム周期生成部２７を備えることにより、フレーム周期情報（ＦＰ）を自立的にタイミング生成することができるという効果を奏する。
【図面の簡単な説明】
【００５３】
【図１】実施の形態１における多分岐通信システムの構成を示すブロック図である。
【図２】実施の形態１におけるＰＯＮインタフェース部（ＰＯＮＩＦ）及び子局装置（ＯＮＵ）の詳細構成を示すブロック図である。
【図３】実施の形態１におけるデータパターン及びフレーム周期情報のタイミングチャートを示す図である。
【図４】実施の形態２のおけるＰＯＮインタフェース部（ＰＯＮＩＦ）及び子局装置（ＯＮＵ）の詳細構成を示すブロック図である。
【符号の説明】
【００５４】
１  センター側端局装置（Optical Line Terminal；ＯＬＴ）、２（２ａ〜２ｂ）  ＰＯＮインタフェース部（ＰＯＮＩＦ）、３  同期クロックインタフェース部（同期クロックＩＦ）、４（４ａ−１〜４ａ−ｎ，４ｂ−１〜４ｂ−ｎ）  子局装置（Optical Network Unit；ＯＮＵ）、５（５ａ−１〜５ａ−ｎ，５ｂ−１〜５ｂ−ｎ）  基地局、６  多分岐ファイバ、６ａ  光ファイバ、６ｂ  分岐用スプリッタ、６ｃ  光ファイバ、７  データパターン、８  基準クロック、９ａ  クロック、９ｂ  フレーム周期情報（ＦＰ）、１０  ＰＨＹ（Physical）部、１１  ＰＯＮ制御部、１２  符号変換部（Physical Coding Sub-layer；ＰＣＳ部）、１３  ＳＥＲＤＥＳ部（Serialization／Deserialization；シリアル化／デシリアル化）、１４  光送受信部（O/E 、E/O）、１５  クロック生成部、１６  光送受信部（O/E、E/O）、１７  ＰＣＳ部、１８  ＰＯＮ制御部、１９  ＰＨＹ部、２０  クロック抽出部、２１  クロック生成部、２２  フレーム周期生成部（ＦＰ生成部）、２３  パターン生成部、２４  切替部、２５  切替制御部、２６  フレームモニタ部、２７  フレーム周期生成部（ＦＰ生成部）、３０  フレーム周期情報（ＦＰ）、３１  入力データパターン、３２  入力データパターン、３３  フレーム周期パターン、３４  出力データパターン、３５  アイドルパターン、３６  主信号データパターン、３７  入力データパターン切替、３８  入力データパターン切替禁止（主信号）、３９  入力データパターン切替禁止（Ｃｏｍｍａ同期）、４０  ＯＮＵ入力データパターン、４１  フレーム周期情報（ＦＰ）、４２  フレーム周期情報（ＦＰ）。
【図１】
2008124905.tif 000003
【図２】
2008124905.tif 000004
【図３】
2008124905.tif 000005
【図４】
2008124905.tif 000006